(57)【特許請求の範囲】
【請求項１】
天井面に固定されるベース（１１）と、前記ベースの下面中央から垂下する吊棒（１０）と、下から前記吊棒にはめられて前記ベースと前記吊棒の根元を覆うカバー（１４）とからなるカーテンレール吊棒において、前記ベースを皿状円板体とし、前記ベースの上面にその直径方向に伸縮可能なばね部材（１６）を配置し、前記ベースにその中心に関して対称な位置に２つのばね穴（２１）をあけ、前記ばね部材を本体（１７）とその本体から相反する方向に延長する２つの腕（１８）とかた形成し、前記腕の先端に爪（１９）を設け、前記ばね部材の前記ベース上の中心位置を保持する位置決め手段（２０、２２）を設け、前記カバーの内周面の直径方向に相対する位置に凹部（１５）を設け、２つの前記腕を２つの前記ばね穴にそれぞれその延長方向に移動自在に通し、前記爪を前記凹部にはめて前記カバーを前記ベースに装着したことを特徴としてなるカーテンレール吊棒のカバー装着機構。
【請求項２】
ばね部材（１６）の本体（１７）を環状とし、爪（１９）の上下幅を先細りとし、位置決め手段を前記本体（１７）から腕（１８）と直交する方向に延長する２つの足（２０）とベース（１１）に設けられた位置決め穴（２２）とから形成し、前記足を前記位置決め穴に摺動自在にはめたことを特徴とする請求項１記載のカーテンレール吊棒のカバー装着機構。
【発明の詳細な説明】
【０００１】
【発明の属する技術分野】
本発明はカーテンレール吊棒に設けるカバーの装着機構に関する。
【０００２】
【従来の技術】
図４に示すように、カーテンレールの吊棒１１は天井１３にねじ止めした円板状のベース２３の下面中央に固定されるが、このベース２３が外部に露出すると不体裁なため、ベース２３全体と吊棒１０の根元を覆うカバー２４を下から吊棒１０にはめてベース２３にかぶせる。従来、カバー２４はベース２３の外周にねじばめしてベース２３に装着されていた。
【０００３】
【発明が解決しようとする課題】
天井に固定したカーテンレール吊棒のベース２３にカバー２４を何度も回転させてねじ込む作業は厄介であるという問題があった。本発明はこの問題を解決するためになされたものであり、その目的とするところは、ワンタッチで天井に固定したベースにカバーを装着することができる機構を提供することにある。
【０００４】
【課題を解決するための手段】
前記目的を達成するため、本発明が採用する手段は、ベースを皿状に形成し、そのベースの中心に関して直径方向に対称な２つの位置にばね穴をあけ、ベースの上面に直径方向に伸縮するばね部材をのせ、そのばね部材から直径方向に延長する２つの腕の両端をそれぞればね穴に通し、ついで直径方向にばねの下面外周から突出させ、カバーの内周面にばね部材の腕の両端に形成した爪が入る凹部を形成し、ばね部材のベース上における中心位置を保持する位置決め手段を設け、それらにより、ベースの爪とカバーの凹部の上下位置を合わせてカバーを下から押し上げると、カバーがベースにワンタッチで装着されるようにしたことにある。
【０００５】
ベースは皿状円板体とし、ばね部材の本体は前後左右が対称な環状体、例えば、円形、楕円形、菱形、６角形等の環状体とする。ベースに設けるばね穴はその中を通るばね部材の腕が直径方向に移動可能な長穴とする。ばね部材のベース上における中心位置を保持する位置決め手段として、ばね部材にその中心から腕とは直交する方向に延長する足を一体に設け、ベースにその足が延長方向に移動自在にはまる位置決め穴を設ける。腕の先端に形成する爪は下面を斜面に形成して爪の上下幅を先細りにする。
【０００６】
カバーをベースから外すときは、そのままカバーを下に引くよりも、カバーを少し回して爪を凹部から周方向に外し、それから下に引くと、カバーはより円滑にベースから外れる。
【０００７】
【発明の実施の形態】
本発明の実施の形態を図面に示す実施例に基づいて説明する。
図１及び図２に示すように、カーテンレールの吊棒１０はベース１１の下面中心から垂下し、その下端に図外のカーテンレールが取り付けられる。ベース１１は皿状のアルミ製円板体であり、止めねじ１２により建物の天井１３に固定される。ベース１１全体と吊棒１０の根元はカバー１４によって覆われ、外からは見えない。椀状カバー１４の上縁部はベース１１の外径よりわずかに大きな内径の中空円柱体であり、その内周面には少なくとも２つの直径方向に相対する凹部１５が設けられる。
【０００８】
ベース１１の上面には合成樹脂製のばね部材１６が同心に配置される。ばね部材１６の上下幅はベース１１の皿状上面の深さよりも小さい。ベース１１には中心に関して対称な２つの位置に左右方向に延長するばね穴２１があけられる。
ばね部材１６の本体１７から左右方向に２つの腕１８が延長し、ついで折れてそれぞればね穴２１を通り、再びベース１１の下面を左右方向に延長する。腕１８の先端部には爪１９が一体に形成され、その爪１９はベース１１の外周面から突出してカバー１４の凹部１５のはまる。爪１９の先端には斜面が形成され厚さは先細りになる。
【０００９】
図２及び図３に示すように、ベース１１には中心に関して対称な２つの位置に前後方向に延長する位置決め穴２２をあける。円形環状体の本体１７からその中心に関して腕１８と直交する半径方向、すなわち前後方向に２つの足２０が延長し、その足は折れてベース１１の位置決め穴２２に入る。両腕１８と両足２０はベース１１の中心に関して前後左右方向に延長するばね穴２１と位置決め穴２２にはまるから、ばね部材１６のベース１１上の中心位置は常に一定に保持される。
【００１０】
【実施例】
本発明の実施例の動作を図３に基づいて説明する。図３（ａ）に示すように、カバーをベース１１にはめる前は、ばね部材１６のばね穴２１を通る腕１８は自由に伸長し、爪１９はベース１１の外周から突出する。足２０は位置決め穴２２の中央に位置する。
【００１１】
そこで、左右の爪１９の下にカバー１４の左右の凹部１５がくるように持ったカバー１４を上へ押し上げると、図３（ｂ）に示すように、本体１７の弾性反発力により爪１９がカバー１４の凹部１５にはまり、腕１８と足２０はばね穴２１と位置決め穴２２に沿って少し戻る。このとき、「カチッ」と音がするから、そこでカバーを放す。このように、カバー１４はベース１１にワンタッチで装着することができる。
【００１２】
カバー１４を外すときは、図３（ｃ）に示すように、カバー１４をベース１１にはめて矢印のように回すと、先ず、腕１８と爪１９がカバー１４の上縁部内周面によってばね穴２１に沿って内側へ押され、ばね部材１６の本体１７は弾性変形して楕円形になり、足２０は位置決め穴２２内に沿って外方へ移動する。それから、カバー１４を下に引き下げると、カバー１４はベース１１から円滑に外れる。
【００１３】
【発明の効果】
上記のとおり、本発明の機構は、従来のベースにカバーをねじ込んで装着する方式とは異なり、ベースに設けたばね部材の爪をカバーの凹部にはめ込んで装着する方式であるから、ワンタッチ操作でカバーをベースに脱着することができるいう優れた効果を奏する。
【図面の簡単な説明】
【図１】は本発明の一実施例の機構を備えたカーテンレール吊棒の縦断面図、
【図２】は図１のＩＩ−ＩＩ線矢視図、
【図３】は図１の機構の平面図であり、（ａ）はカバーをベースから外した状態を、（ｂ）はカバーをベースに装着した状態を、（ｃ）はカバーをベースから外す状態をそれぞれ示す。
【図４】は従来例の図１に相当する図、
【符号の説明】
１０：吊棒
１１：ベース
１２：止めねじ
１３：天井
１４：カバー
１５：凹部
１６：ばね部材
１７：本体
１８：腕
１９：爪
２０：足
２１：ばね穴
２２：位置決め穴
２３：ベース
２４：カバー
【図１】
0003620675.tif 000002
【図２】
0003620675.tif 000003
【図３】
0003620675.tif 000004
【図４】
0003620675.tif 000005